(57)【要約】      （修正有）【課題】トレーニングマシンを効率的に稼働でき、設置作業性、メンテナンス性が良好で、利用者に圧迫感や不快感を与えることなく、かつ、有効に飛沫の飛散を抑制できるトレーニングマシン用衝立を提供する。【解決手段】トレーニングマシン用衝立１は、土台部１１ａおよび当該土台部１１ａに立設させてなる支柱部１１ｂを含む、側面ユニット１１一対と、透明材料から構成された飛沫防止板１２とを備え、側面ユニット１１同士が対向し、かつ前記飛沫防止板１２がそれぞれの支柱部１１ｂに保持されている。【選択図】図１
0003227361.tif 000002
【実用新案登録請求の範囲】
【請求項１】
土台部（１１ａ）および当該土台部（１１ａ）に立設させてなる支柱部（１１ｂ）を含む、側面ユニット（１１）一対と、透明材料から構成された飛沫防止板（１２）とを備え、
前記側面ユニット（１１）同士が対向し、かつ前記飛沫防止板（１２）がそれぞれの支柱部（１１ｂ）に保持されていることを特徴とするトレーニングマシン用衝立。
【請求項２】
前記飛沫防止板（１２）の表面が抗菌処理および／または抗ウィルス処理がなされていることを特徴とする請求項１に記載のトレーニングマシン用衝立。
【請求項３】
トレーニングマシンと、当該運動器具の周囲に設置された請求項１または２に記載のトレーニングマシン用衝立とを備えることを特徴とする飛沫防止衝立付きトレーニングマシン。
【考案の詳細な説明】
【技術分野】
【０００１】
本考案は、トレーニングマシン用衝立に関し、より具体的には（イ）トレーニングマシンを効率的に稼働でき、（ロ）設置作業性、メンテナンス性が良好で、（ハ）利用者に圧迫感や不快感を与えることなく、かつ、（ニ）有効に飛沫の飛散を抑制できるトレーニングマシン用衝立に関する。
【背景技術】
【０００２】
スポーツジム（トレーニングジム）では、不特定多数の利用者がランニングマシンなどの運動器具（トレーニングマシン）を、密集した状態で利用することが多い。そのため、コロナウィルスなど、各種感染症が蔓延している際は、感染防止のための配慮・対策が必要となる。
【０００３】
たとえば、利用者が入出する際には、手洗い、アルコール消毒、マスク着用を励行したり、使用前後において運動器具において、利用者が接触した部分を次亜塩素酸系消毒剤やアルコールなどで清拭したりすることが挙げられる。
【０００４】
しかしながら、トレーニングマシン、特にカ―ディオマシンを使用する際は、マスクを着用しながらの利用は難しく、利用時には利用者が有酸素運動を行うことになる。そのため、汗や呼気に由来する飛沫が散乱し、利用者あるいはその近傍にいる者がその飛沫に接触（濃厚接触）するリスクは依然として残っている。
【０００５】
この対応としては、たとえば、トレーニングマシン同士を、非特許文献１で開示されているようなビニールカーテンで区切ることで、飛沫の飛散および利用者間の濃厚接触を低減する試みもある。
【先行技術文献】
【非特許文献】
【０００６】
【非特許文献１】飛沫感染対策ビニールカーテン（ｈｔｔｐｓ：／／ｗｗｗ．ｄｉｓｔｅｍ．ｃｏ．ｊｐ／ｄｃｍｓ＿ｍｅｄｉａ／ｏｔｈｅｒ／ｃａｒｔｅｎ． ｐｄｆ）
【考案の概要】
【考案が解決しようとする課題】
【０００７】
しかしながら、ビニールカーテンを使用した場合、以下のような課題があることが分かった。
【０００８】
（１）ビニールカーテンをトレーニングマシンの間に設置するにあたっては、たとえば、ビニールカーテンの上辺部を天井などに接着させたり、天井から吊したりする必要がある。そのため、設置作業の手間と負担は大きいものである。
【０００９】
（２）ビニールカーテン自体が、ポリエチレンなどの軟質なプラスチック材料からなる。そのため、トレーニングマシン同士が近接した状態で、ビニールカーテンを設置すると、マシン利用者がビニールカーテンに接触したり、利用者の運動によって風圧が生じたりすると、ビニールカーテンが揺れ、別のマシン利用者に当該ビニールカーテンが接触してしまうこともある。そして、利用者に不快感を与えたり、ビニールカーテン自体に飛沫が付着していた場合は、濃厚接触のリスクが増加したりする。
【００１０】
（３）ビニールカーテンは軟質であるため、カーテン自体を消毒・清掃するのも困難である。また、ビニールカーテンが半透明素材からなる場合、マシンの利用者には使用中圧迫感を与えたり、たとえ透明素材からなるものであっても、材質が軟質なため、利用者の視界がぼやけるなどの不快感を与えたりする問題も生じうる。
【００１１】
（４）トレーニングマシン同士をある程度離間した状態で、ビニールカーテンを設置すると、特にスペースが小さいジムにおいては、設置できるトレーニングマシンの台数が限定される。そのため、マシンの稼働率が低下してしまう。
【００１２】
このような従来の問題点を鑑みて、本考案者は鋭意検討の結果、特定構造を有する衝立を使用すれば、このような問題を解決することを見出した。
【００１３】
すなわち、本考案は、（イ）トレーニングマシンを効率的に稼働でき、（ロ）設置作業性、メンテナンス性が良好で、（ハ）利用者に圧迫感や不快感を与えることなく、かつ、（ニ）有効に飛沫の飛散を抑制できるトレーニングマシン用衝立を提供することを目的とする。
【課題を解決するための手段】
【００１４】
本考案に係るトレーニングマシン用衝立は、土台部（１１ａ）および当該土台部（１１ａ）に立設させてなる支柱部（１１ｂ）を含む、側面ユニット（１１）一対と、透明材料から構成された飛沫防止板（１２）とを備え、前記側面ユニット（１１）同士が対向し、かつ前記飛沫防止板（１２）がそれぞれの支柱部（１１ｂ）に保持されていることを特徴とする。
【００１５】
また、本考案に係るトレーニングマシン用衝立においては、前記飛沫防止板（１２）の表面が抗菌処理および／または抗ウィルス処理がなされていることが好ましい。
【００１６】
さらに、本考案に係る飛沫防止衝立付きトレーニングマシンは、トレーニングマシンと、当該運動器具の周囲に設置された前記トレーニングマシン用衝立とを備えることを特徴とする。
【考案の効果】
【００１７】
本考案に係るトレーニングマシン用衝立によれば、トレーニングジム等において、飛沫の飛散を抑制し、利用者間での飛沫の濃厚接触を有効に低減できる。また、容易に設置することができ、清掃などのメンテナンスも簡単である。さらには、利用者の使用中にも圧迫感や不快感を与えず、トレーニングマシンを効率的に稼働できるという効果を発揮する。
【図面の簡単な説明】
【００１８】
【図１】図１は、本考案に係るトレーニングマシン用衝立を説明するための正面図（図１（Ａ））および側面図（図１（Ｂ））である。
【図２】図２は、本考案に係るトレーニングマシン用衝立の使用状態あるいは本考案に係る飛沫防止衝立付きトレーニングマシンを説明するための正面図（図１（Ａ））および側面図（図１（Ｂ））である。
【考案を実施するための形態】
【００１９】
以下、本考案に係るトレーニングマシン用衝立および飛沫防止衝立付きトレーニングマシンについて、図面を適宜参照しながら、詳細に説明する。
【００２０】
図１の付番１は、本考案に係るトレーニングマシン用衝立（以下、「本考案の衝立」という。）の一例を示している。図１で例示されるように、本考案の衝立は、一対の（２つの）側面ユニット１１と、飛沫防止板１２とを必須構成要素として備え、必要に応じて任意の構造を有していてもよい。
【００２１】
飛沫防止板１２は、主に、利用者の呼気、汗に由来する飛沫（エアロゾルを含む）がジム内に拡散することを低減する機能を有する。また、飛沫防止板１２は、透明樹脂（たとえば、アクリル樹脂、ポリカーボネート樹脂）や硬質ガラスなどの透明材料から構成される。
【００２２】
また、銅、銀、コバルト、亜鉛等の無機系抗菌剤・抗ウィルス剤や、有機系抗菌剤・抗ウィルス剤等の抗菌剤を含む被膜を形成するなどの公知の方法で、抗ウィルス処理や抗菌処理がなされていることが望ましい。
【００２３】
飛沫防止板１２は、透明材料から構成されているため、図２（Ａ）および（Ｂ）に示されるように、利用者がトレーニングマシンを利用しても、前方の視界が良好であり、圧迫感や不快感が生じることが低減されるという効果がある。
【００２４】
図１（Ａ）に示すように、飛沫防止板１２は、対向した側面ユニット１１の支柱部１１ｂに保持されている。ここで、飛沫防止板１２が、ネジなどで支柱部の上下に移動可能な状態となっていてもよいし、側面ユニット同士の距離に応じて、横の長さを調節（伸縮）できるような構造を有していてもよい。
【００２５】
前記側面ユニット１１は、土台部１１ａと支柱部１１ｂとを有する。支柱部１１ｂは、土台部１１ａに立設されている。
【００２６】
土台部１１ａの形状は、特に限定されないが、支柱部１１ｂを安定的に立設し、さらには本考案の衝立のグラつきなどを防止するという観点からは、フロア（地面）に接する面積が十分に大きいことが求められる。
【００２７】
その形状としては、たとえば、接地面が正方形、長方形、円形などが挙げられるが、特任限定されるものではない。また、必要に応じて、錘体（重り）を土台部１１ａに付加したり、床面にネジなどの結合手段にて固定したりしてもよい。
【００２８】
なお、図２（Ａ）に示すように、トレーニングマシン１７が土台部１１ａ上に設置されているのであれば、特に、錘体や床面への固定は不要であることが多い。
【００２９】
また、支柱部１１ｂの形状、長さなども特に限定されないが、たとえば、図２に示されるように、土台部１１ａに結合している端部（下端部）から上端部までの長さが１９００ｍｍ〜２３００ｍｍとしてもよい。
【００３０】
また、支柱部１１ｂは、回転式伸縮構造や任意の長さにおいてネジで固定できるような伸縮式構造を有していてもよい。このような構造を有すると、トレーニングマシンの大きさや高さ、利用者の高さなどに応じて、飛沫防止版を利用者の顔面までの高さまで調節することができる。また、トレーニングマシンの種類を問わずに利用できるメリットがある。
【００３１】
土台部１１ａと支柱部１１ｂの材質は特に限定されないが、耐久性などの観点からは、これらの部材は、ステンレスなどの金属や硬質プラスチックなどで構成されていることが好ましい。また、これらの部材の表面は、必要に応じて、防錆処理、抗ウィルス処理や抗菌処理などの表面処理がされていることが好ましい。特に、銅、銀、コバルト、亜鉛等の無機系抗菌剤・抗ウィルス剤や、有機系抗菌剤・抗ウィルス剤等の抗菌剤を含む被膜を形成するなどの公知の方法で、抗ウィルス処理や抗菌処理がなされていることが望ましい。
【００３２】
また、側面ユニット１１は、必要に応じて任意の構造を有していてもよい。たとえば、必要に応じて、タオル掛け、財布置き、ドリンクホルダーなどを設けてもよい。
【００３３】
また、図１（Ｂ）は、本考案の衝立の側面図であるが、土台部１１ａや支柱部１１ｂの他に、利用者の顔側面の位置に、透明樹脂（たとえば、アクリル樹脂、ポリカーボネート樹脂）や硬質ガラスなどの透明材料から構成された側面飛沫防止板１７を備えている態様を例示している。この側面飛沫防止板１７の大きさや形状は特に限定されない。たとえば、側面飛沫防止板１７は、側面ユニット全面に設けられていてもよいが、少なくとも利用者の顔面の高さに設けられていればよい。利用者の体格、トレーニングマシンの種類・大きさなどを考慮して設置位置、大きさなどを決定してもよい。なお、図２（Ｂ）で示される態様では、横（前側支柱部の結合辺から後側支柱部の結合辺までの長さ）が９００ｍｍ、前側支柱部の結合辺部分が８００ｍｍ、後側支柱部の結合辺が１０００ｍｍの台形形状となっている。
【００３４】
このように、側面飛沫防止板１７を有することにより、一層飛沫防止効果を向上させることができる。なお、側面飛沫防止板１７は、飛沫防止板１２と同様に、抗菌処理および／または抗ウィルス処理されていることが好ましい。
【００３５】
また、図１（Ｂ）では、側面ユニット１１には、２本の支柱部１１ｂを備えている。支柱部の数は限定されないが、その本数が多いほど、本考案に係る衝立の安定性、耐久性、堅牢性などの機械的特性は向上するが、生産コストや外観意匠性などを考慮して任意に定めることができる。
【００３６】
本考案に係る衝立の安定性、耐久性、堅牢性などの機械的特性を向上させるという観点からは、付番１３に示すように、前後の支柱部１１ｂを連結する梁（はり、りょう）部や、付番１４に示すように筋交い部を有していてもよい。
【００３７】
また、本考案に係る飛沫防止衝立付きトレーニングマシンは、図２に示されるように、トレーニングマシン１６と、当該運動器具の周囲に設置された上記トレーニングマシン用衝立とを備えることを特徴とする。ここで、トレーニングマシンの種類や大きさは特に限定されず、たとえば、トレッドミル（最大高さ：通常１４７０ｍｍ）、アップライドバイク（最大高さ：通常１５４０ｍｍ）、リカンベントエアロバイク（登録商標）（最大高さ：通常１４００ｍｍ）、クロストレーナー（最大高さ：通常１７３０ｍｍ）、クライムミル（最大高さ：通常２１２０ｍｍ）などが好適に使用されるが、これらに限定されるものではない。
【産業上の利用可能性】
【００３８】
本考案によれば、（イ）トレーニングマシンを効率的に稼働でき、（ロ）設置作業性、メンテナンス性が良好で、（ハ）利用者に圧迫感や不快感を与えることなく、かつ、（ニ）有効に飛沫の飛散を抑制できるトレーニングマシン用衝立を提供することができる。
【００３９】
すなわち、本考案に係るトレーニングマシン用衝立は、フィットネスクラブ、スポーツジム、学校、公共運動施設など各種トレーニング空間で利用され、スポーツ産業を中心に産業上の利用可能性が高いものである。
【符号の説明】
【００４０】
１：本考案に係る衝立
１１：側面ユニット
１１ａ：土台部
１１ｂ：支柱部
１２：飛沫防止板
１３：梁部
１４：筋交い部
１５：利用者
１６：トレーニングマシン
１７：側面飛沫防止板
【図１】
0003227361.tif 000003
【図２】
0003227361.tif 000004